(57)【要約】【課題】  従来の工芸紙製品は、紙の素材や形や色などでもって工芸加工を施し構成していた。また基本図形の型材を用いて紙を漉く工芸紙製品の製造の場合には、漉き上がった基本図形本体の工芸加工のみであった。本発明は型材を用いて紙を漉く時に生じる毛羽を、従来は付属的要素であったが、主体的要素の一員として毛羽に注目した。【解決手段】  基本図形（文字図形も含む）のみの型材を用いて工芸紙製品を漉く時に生じる毛羽は自然に生じるものであり、漉き上がった前記毛羽と前記毛羽を有する繊維基本図形部とで異なった工芸加工を施すことにより毛羽の存在を主張できる。また自然に生じる毛羽だけでなく、型材の基本図形の周囲に任意の網点で穴を開けることや、周囲のみにかかわらず型材の他の位置に任意の網点で穴を開けることにより、漉かれる紙の繊維の分布をコントロール出来、毛羽による工芸紙製品の表現域が拡大する。【選択図】図６
2018135626.tif 000002
【特許請求の範囲】
【請求項１】
基本図形にくり抜かれた型材を用いて紙漉きを行った際、自然発生的に生じた毛羽に、又は前記毛羽を有する前記基本図形の形に漉き上がった工芸紙製品の繊維基本図形部に、またはそれぞれに別々の染色、彩色、金銀加工の工芸加工を施す事により、前記毛羽を強調した事を特徴とする工芸紙製品。
【請求項２】
基本図形にくり抜かれた型材を用いて紙漉きを行って工芸紙製品を製造するに際し、前記型材において基本図形の周囲に任意の網点で穴を開ける加工を施し、前記工芸紙製品の基本図形の網点部分に紙漉きで形成される毛羽をコントロールする事を特徴とする工芸紙製品の製造方法。
【請求項３】
基本図形にくり抜かれた型材を用いて紙漉きを行って工芸紙製品を製造するに際し、前記型材において基本図形の周囲に任意の網点で穴を開ける加工を施し、前記工芸紙製品の基本図形の網点部分に紙漉きで形成される毛羽をコントロールする事により製造された工芸紙製品を用い、前記漉き上がった工芸紙製品の毛羽に、又は前記毛羽を有する前記基本図形の形に漉き上がった工芸紙製品の繊維基本図形部に、またはそれぞれに別々の染色、彩色、金銀加工の工芸加工を施す事により、前記毛羽を強調する事を特徴とした工芸紙製品の製造方法。
【請求項４】
請求項２において基本図形の周囲のみならず、型材の画面の中で前記基本図形以外の場所に任意の網点で穴開け加工を施し、製造する工芸紙製品の紙繊維をコントロールする事を特徴とする毛羽による工芸紙製品の製造方法。
【請求項５】
型材の画面の中に任意の網点だけで穴あけ加工を施し、前記型材を用いて紙漉きを行い、前記穴部分に紙繊維を分散させてコントロールする事を特徴とする工芸紙製品の製造方法。
【請求項６】
請求項２、請求項３で製造された工芸紙製品をちぎり絵のパーツとして用いることを特徴とする毛羽による工芸紙製品。
【発明の詳細な説明】
【技術分野】
【０００１】  本発明は工芸紙製品やちぎり絵に関するもので、その製造方法にも関連する。
【背景技術】
【０００２】  従来の工芸紙製品は紙の素材や形や色などでもって工芸紙製品を作成していた。【０００３】  たとえば素材としての和紙を漉く時に色を加えたり、紅葉の葉を一緒に漉き込んだり、基本図形（以後文字図形も含む）にくりぬいた型材を用いて紙を漉き、基本図形の形の和紙を作製したりしている。それ以外にも墨流しや彩色、金銀泥引き、金銀砂子まき、箔押しなどの工芸加工で絵画的表現も加味して工芸紙製品を構成しており、切り絵などは刃物やはさみで紙を色々な形に切り抜きシルエットの表現をみせている。またちぎり絵などは多様な色紙を手でちぎって形をつくり、それらをはりあわせて構成し表現している。
【先行技術文献】
【特許文献】
【０００４】
【特許文献１】特許第３３３５３０９号
【特許文献２】特開２００６−２４１６５０
【非特許文献】
【０００５】
【非特許文献１】福井県和紙工業協同組合ホームページ＞技術＞技法
【非特許文献２】家田紙工株式会社ホームページ
【発明の概要】
【発明が解決しようとする課題】
【０００６】  以上述べた従来の工芸紙製品では基本図形で構成された紙本体の工芸加工のみであった。【０００７】  また特許文献１、特許文献２や非特許文献１に示される型材を用いた方法により紙漉きを行えば、漉き上がった基本図形の形の紙（以下繊維基本図形部とする）の周りに、意図したものでなく自然に出来た毛羽が生じるのは従来から認知されている事である。【０００８】  この様な技法で製造されたものの一例として、雪の結晶等を和紙にて製作された製品が出回っている（非特許文献２）。しかし、これは周囲の毛羽がぼかしの様になって柔らかくはなるが、存在感が薄れてくる。まるで明治時代に横山大観等が行った「もうろう体」の表現の様であり、日本画の古来からあった輪郭線がなくなった感じでもある。【０００９】  本発明は、この様な従来の工芸紙製品を製造するのではなく、紙を漉く時に出来る毛羽に注目したものである。古来より毛羽に注目した紙工芸品としては、「国宝  西本願寺  三十六人歌集」の伊勢集（石山切）、能宣集にみられる装飾料紙や現代のちぎり絵などがある。しかし、これらは毛羽を主体的に扱っているものではない。【００１０】  また物理的な毛羽の利用としては、表具での和紙をちぎって作る「くいさき」もあるが、これは紙を継いだり重ねたりする時に段差が生じるのを防ぐための物理的、力学的なものであり、美術工芸的に注目されたものではない。【００１１】  現代における工芸紙としてのちぎり絵や継ぎ紙は、古来から行われている手で一つずつ和紙をちぎって毛羽をつくる「くいさき」を作成し、貼り付けて構成している。従来、紙繊維の毛羽は付属的な要素であったが、本発明は毛羽の美しさを美的表現の構成要素として任意の形態で簡単に作成する事を目的としている。
【課題を解決するための手段】
【００１２】  そこで本発明はこの毛羽に注目し、基本図形にくり抜かれた型材を用いて紙漉きを行った際、自然発生的に生じた毛羽に、又は前記毛羽を有する前記基本図形の形に漉き上がった工芸紙製品の繊維基本図形部に、またはそれぞれに別々の染色、彩色、金銀加工の工芸加工を施す事である。【００１３】  また本発明はこの毛羽を自然に出来るものではなく、意図して作る事が出来るものである。基本図形にくり抜かれた型材を用いて紙漉きを行って工芸紙製品を製造するに際し、前記型材において基本図形の周囲に任意の網点で穴を開ける加工を施し、前記工芸紙製品の基本図形の網点部分に紙漉きで形成される毛羽をコントロールする事を特徴とする工芸紙製品の製造方法である。【００１４】  また本発明は意図して作られた毛羽の存在感を示すため、基本図形にくり抜かれた型材を用いて紙漉きを行って工芸紙製品を製造するに際し、前記型材において基本図形の周囲に任意の網点で穴を開ける加工を施し、前記工芸紙製品の基本図形の網点部分に紙漉きで形成される毛羽をコントロールする事により製造された工芸紙製品を用い、前記漉き上がった工芸紙製品の毛羽に、又は前記毛羽を有する前記基本図形の形に漉き上がった工芸紙製品の繊維基本図形部に、またはそれぞれに別々の染色、彩色、金銀加工の工芸加工を施す事により、前記毛羽を強調する事を特徴とした工芸紙製品の製造方法である。【００１５】  また本発明は請求項２において基本図形の周囲のみならず、型材の画面の中で前記基本図形以外の場所に任意の網点で穴開け加工を施し、製造する工芸紙製品の紙繊維をコントロールする事を特徴とする毛羽による工芸紙製品の製造方法である。【００１６】  また本発明は型材の画面の中に任意の網点だけで穴あけ加工を施し、前記型材を用いて紙漉きを行い、前記穴部分に紙繊維を分散させてコントロールする事を特徴とする工芸紙製品の製造方法である。【００１７】  また本発明は請求項２、請求項３で製造された工芸紙製品をちぎり絵のパーツとして用いることを特徴とする毛羽による工芸紙製品を提供する事である。
【発明の効果】
【００１８】  請求項１による発明によれば、毛羽の部分を強調するために、荒い密度状態の紙繊維一本一本の毛羽を繊維基本図形部とは異なった工芸加工する事により、また繊維基本図形部とそれに付帯した毛羽のそれぞれに別々の工芸加工を施すことにより、前記毛羽を強調した事を特徴とする硬くもなく柔らかくもない表現となり、従来とは一味違う工芸紙製品を提供出来る。【００１９】  請求項２による発明によれば、型材の全開口基本図形の周りに網点穴加工を施して紙漉きを行う事により、繊維基本図形部の周りに毛羽の分散状況や厚さを任意に作成する事が出来るため、従来の型材を用いて紙漉きを行う工芸紙製品とは異なり、輪郭部分のグラデーションも任意に作成することの出来る技法で、柔軟で拡大された表現域を構成出来る工芸紙製品となる。【００２０】  請求項３による発明によれば、請求項２で作成された型材を用いて漉き上がった工芸紙製品に、繊維基本図形部とそれに付帯した毛羽のそれぞれに別々の工芸加工を施すことにより、紙の厚さや一本一本の紙繊維に対する工芸加工となるため、従来より表現域が広がる工芸紙製品を形成する事が出来る。【００２１】  請求項４による発明によれば、基本図形の周囲だけでなく、型材の画面の中で基本図形以外の場所を網点により、雲海や水の流れや墨流し等の景色や模様を背景として構成することが出来る。従来の全開口基本図形のみの型材による紙漉きに比べ、異なった複雑な紙厚の違いや、紙繊維の流れによる分布の違い等により表現域を拡大させる事が出来る。【００２２】  請求項５による発明によれば、型材の画面の中に網点だけで穴加工し、前記型材を用いて紙漉きを行う事により、画面全体を一つの図形としての表現として取り扱う事が出来、かつ複雑な紙繊維の分布による柔軟で拡大された表現が可能な工芸紙製品を作成出来る。【００２３】  請求項６による発明によれば、手でちぎって作成する事が困難なちぎり絵の小さなパーツや複雑なパーツ、最適な毛足の毛羽を作成する事が簡単に量産化することが出来る。全開口基本図形の型材で紙漉きを行えば毛羽が生じるが、毛足の短い毛羽となり、手でちぎって作る毛羽の様な毛足の長いものを作るのは困難である。もし重ねの段差が欲しくないときは毛羽のある状態で使い、重ねの段差が欲しい時は刃物やはさみで毛羽部分を裁ち落として使うことにより表現領域が広がってくる。【００２４】  以上本発明による毛羽を表現の主体的要素の一員とした工芸紙製品は、ディスプレー素材やしおりや照明素材としても用いる事が出来る。
【図面の簡単な説明】
【００２５】  紙の繊維を扱う作業なので０．１ｍｍ単位の細かさになる。そのため図面では少し誇張して描かれている。【００２６】
【図１】  紙漉き機を用いた紙漉き作業の模式図
【図２】  従来の型材の一例の図
【図３】  図２の様な従来の型材による、紙漉き後の支持体上の工芸紙製品の図
【図４】  前記の工芸紙製品に工芸加工を行う後加工型材の一例の図
【図５】  図４による工芸加工後の工芸紙製品の一例の図
【図６】  請求項２による型材の一例の図
【図７】  図６の型材での紙漉き後の工芸紙製品の図
【図８】  請求項２による一実施例の図
【図９】  請求項３による型材の一例の図
【図１０】  図９の型材による工芸加工後の工芸紙製品の一例の図
【図１１】  請求項４による型材の一例の図
【図１２】  図１１の型材による紙漉き後の工芸紙製品の図
【図１３】  請求項５による型材の一例の図
【図１４】  図１３の型材による紙漉き後の工芸紙製品の図
【図１５】  請求項５による一実施例の原図
【図１６】  図１５を元とした網点のみの型材の図
【図１７】  図１６を用いた紙漉き後の工芸紙製品をスキャニングした図
【図１８】  請求項６のための紙漉き後の工芸紙製品の一例の図
【発明を実施するための形態】
【００２７】  以下、図１〜図１８に基づいて説明する。
【実施例】
【００２８】  紙漉きを実施するには、非特許文献１に書かれている様な古来からの紙漉きでも可能であるが、紙繊維溶液の落下に時間がかかるので、特許文献１の図８や図９に示された、従来知られている吸引減圧型紙漉き機を用いて説明を行う。図１は基本的な紙漉き機を用いる方法で、基本図形をくり抜いた型材３を紙漉き機１に設置した図である。金簾２の上に型材３を置き、その上に通気通水性の支持体４を重ね、紙漉き枠の中に紙繊維を混ぜた紙繊維溶液５を流し込む。その後吸引口から空気を吸う事により、型材３の基本図形に抜かれた部分のみ減圧のため空気と同時に紙繊維溶液５が吸引され、紙繊維７，８のみが支持体４に基本図形の形である繊維基本図形部７に毛羽８を含んで残る。なお支持体４を用いなくても紙漉きは可能である。型材３の下に金簾２より目の細かい通気通水性の素材を敷き、前記の型材３の上に直接紙繊維溶液５を流し込み吸引すれば、型材３の穴部分と上面に繊維基本図形部７と毛羽８が残るが、湿っている時に別の支持体を重ねてそちらに転写すれば良い。【００２９】  図２のような型材３ａの全開口基本図形６ａで紙漉きを行った時、紙繊維溶液５の分散した紙繊維が全開口基本図形６ａに吸い込まれるので、図３に示すように、繊維基本図形部７ａの周りには余った紙繊維としての毛羽８ａが自然に生じる。【００３０】  一方、型材を作成する際、図４に示すように繊維基本図形部７ａの周りの毛羽８ａの範囲の貫通部１０となる図形を、シルクスクリーンで後加工型材９として作っておく。漉き上がって乾燥させた支持体４ａの上の繊維基本図形部７ａと毛羽８ａに前述の後加工型材９を合わせ、貫通部１０を通して着色や糊置きを行い、後加工型材９をはずした後に貫通部１０によって置かれた糊上に箔置きや砂子まきなどの工芸加工を施す。その加工後、毛羽も含んだ基本図形の形の工芸紙製品を支持体４ａから取り外すと、図５に示されているように、繊維基本図形部７ａの周りの毛羽１１の繊維のみに工芸加工が施されており、繊維基本図形部７ａと毛羽１１が異なった工芸表現となって毛羽の存在感も生じる。【００３１】  請求項２を実施するには、まず紙漉きを行う前に図６のような型材３ｂを作成する。全開口基本図形６ｂが決まれば、コンピュータを用いて画像処理を行う。たとえばフォトショップ等の画像処理ソフトを用いると容易に全開口基本図形６ｂの周りの網点の処理が出来、そのデータを用いてレーザーやカッティングマシーン、感熱製版機等の出力機により網点加工穴１２ｂが出来る。一部を拡大した図を示したが、任意の網点を画像処理によって行っている。この時に前述のような後加工型材も作成する。図７は前記型材３ｂを用いて紙漉きを行い、支持体４ｂ上にある繊維基本図形部７ｂと毛羽８ｂを備えた工芸紙製品である。一部を拡大した図を示したが、図６に示した拡大図のような処置により、紙繊維をコントロールして、急激に紙厚を変えたり、少しずつ変えて柔らかなグラデーションにすることも出来る。図３に比べて複雑な紙繊維の分布としての毛羽状態になっている。【００３２】  図８は請求項２の方法で実際に紙漉き行った実施例である。左側の白地の紅葉図は全開口基本図形の周りに網点で穴加工をした一例の型材図��ある。右側は網点の種類を変えて漉いたもので、紙繊維が判別しやすいように黒地でスキャンした図である。繊維基本図形部の周りの毛羽の生成が違っているのがわかる。【００３３】  請求項３を実施した一例が図９、図１０である。図９に示す型材３ｃにひらがな文字の全開口基本図形６ｃを作り、その周囲と文字間を網点加工穴１２ｃで処理した。その型材３ｃを使って紙漉きを行い、今回は毛羽８ｃでなく繊維基本図形部７ｃ側に工芸加工を施したものが図１０である。ひらがな文字の柔らかさや連綿と連なる文字の流れを表現したい時、繊維基本図形７ｃを後工芸加工して文字を強調し、その周囲からの繋がりを網点加工穴１２ｃによる毛羽８ｃで図７とは異なった表現となっている。なお前記したように毛羽８ｃ側に、繊維基本図形７ｃ側とは異なった工芸加工施しても可能であり、また違った表現となる。【００３４】  請求項４を実施した一例が図１１、図１２で、図１１は型材３ｄ内に全開放基本図形６ｄと網点加工穴１２ｄを一緒に構成したものである。全開放基本図形６ｄの周囲のみならず、網点加工穴１２ｄで川の流れのような背景をつくったものである。その型材３ｄを用いて紙漉きを行ったものが図１２で、支持体４ｄ上に繊維基本図形部７ｄの密度の高い厚い紙繊維と、密度の荒い薄くて細かい繊維状の毛羽８ｄが流れのような雰囲気で対比的な様相を示している。【００３５】  請求項５を実施した一例が図１３、図１４である。図１３は型材３ｅ内に網点加工穴１２ｅだけで密度や大きさなどの分布を変えて構成したものである。前記の型材３ｅを用いて紙漉きを行ったものが図１４となり、細かい紙繊維の分散による複雑な紙繊維の分布としての毛羽状態が支持体４ｅに作成されており、網点の密度や大きさにより多様な表現形式をとることが出来る。【００３６】  図１５〜図１７は実際に作成した工芸紙製品の図である。図１５は墨流しによる原図であり、複雑な図形となっている。図１６は前記の原図を画像処理した網点のみの型材である。一部を拡大した部分があり、網点で加工されているのがわかる。前記図１６の型材を用いて紙漉きを行い、作成した工芸紙製品をスキャナーでスキャニングして画像としたものが図１７である。上部に図１６と同一部分を拡大した。図１６の拡大で示された網点の密度の高い部分は図１７の拡大でも紙繊維の密度が高くなっている。またその反対で、網点の密度が低い部分は紙繊維が少なく毛羽状態がはっきり見て取れる。【００３７】  請求項６を実施した一例が図１８である。請求項２の技法で作られた繊維基本図形部７ｆと毛羽８ｆを支持体４ｆにセットとしてまとめたものである。毛羽８ｆの毛足は任意に選べるので、ちぎり絵に適した長さを選択できる。ちなみに各パーツに異なった染色等の後加工を施しても表現域は拡大させる事が出来る。
【符号の説明】
【００３８】  １        紙漉き機
２        金簾
３        型材
３ａ      型材
３ｂ      型材
３ｃ      型材
３ｄ      型材
３ｅ      型材
４        支持体
４ａ      支持体
４ｂ      支持体
４ｃ      支持体
４ｄ      支持体
４ｅ      支持体
４ｆ      支持体
５        紙繊維溶液
６ａ      全開口基本図形
６ｂ      全開口基本図形
６ｃ      全開口基本図形
６ｄ      全開口基本図形
７        繊維基本図形部
７ａ      繊維基本図形部
７ｂ      繊維基本図形部
７ｃ      繊維基本図形部
７ｄ      繊維基本図形部
７ｆ      繊維基本図形部
８        毛羽
８ａ      毛羽
８ｂ      毛羽
８ｃ      毛羽
８ｄ      毛羽
８ｅ      毛羽
８ｆ      毛羽
９        後加工型材
１０      貫通部
１１      毛羽の工芸加工後
１２ｂ    網点加工穴
１２ｃ    網点加工穴
１２ｄ    網点加工穴
１２ｅ    網点加工穴
【図１】
2018135626.tif 000003
【図２】
2018135626.tif 000004
【図３】
2018135626.tif 000005
【図４】
2018135626.tif 000006
【図５】
2018135626.tif 000007
【図６】
2018135626.tif 000008
【図７】
2018135626.tif 000009
【図８】
2018135626.tif 000010
【図９】
2018135626.tif 000011
【図１０】
2018135626.tif 000012
【図１１】
2018135626.tif 000013
【図１２】
2018135626.tif 000014
【図１３】
2018135626.tif 000015
【図１４】
2018135626.tif 000016
【図１５】
2018135626.tif 000017
【図１６】
2018135626.tif 000018
【図１７】
2018135626.tif 000019
【図１８】
2018135626.tif 000020
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
基本図形にくり抜かれた型材を用いて紙漉きを行って工芸紙製品を製造するに際し、前記型材において基本図形の周囲に任意の網点で穴を開ける加工を施し、前記工芸紙製品の基本図形の網点部分に紙漉きで形成される毛羽をコントロールする事を特徴とする工芸紙製品の製造方法。
【請求項２】
基本図形にくり抜かれた型材を用いて紙漉きを行って工芸紙製品を製造するに際し、前記型材において基本図形の周囲に任意の網点で穴を開ける加工を施し、前記工芸紙製品の基本図形の網点部分に紙漉きで形成される毛羽をコントロールする事により製造された工芸紙製品を用い、前記漉き上がった工芸紙製品の毛羽に、 工芸加工を施す事により、前記毛羽を強調する事を特徴とした工芸紙製品の製造方法。
【請求項３】
請求項１において基本図形の周囲のみならず、型材の画面の中で前記基本図形以外の場所に任意の網点で穴開け加工を施し、製造する工芸紙製品の紙繊維をコントロールする事を特徴とする毛羽による工芸紙製品の製造方法。
【請求項４】
請求項１又は２で製造された工芸紙製品をちぎり絵のパーツとして用いることを特徴とする毛羽による工芸紙製品。